(57)【要約】【課題】エナメル被覆剥きと接続箇所を削減することでコイル納め作業時間を短縮して、作業効率を向上できる回転電機の固定子製造方法を提供する。【解決手段】全閉スロットが設けられた固定子のコイルに、平角状に成形し絶縁被覆を施したリッツ線を採用する回転電機の固定子製造方法において、１極１相分のコイルを連続して巻回し、スター接続を形成しているので、エナメル被覆剥きと接続箇所が削減でき、コイル納め作業時間が短縮可能となる。【選択図】  図１
2004274901.tif 000002
【特許請求の範囲】
【請求項１】
全閉スロットが設けられた固定子のコイルに、平角状に成形し絶縁被覆を施したリッツ線を採用する回転電機の固定子製造方法において、１極１相分のコイルを連続して巻回し、スター接続を形成することを特徴とする回転電機の固定子製造方法。
【請求項２】
前記請求項１記載の回転電機の固定子製造方法において、スター接続の代りにデルタ接続を形成することを特徴とする回転電機の固定子製造方法。
【請求項３】
前記請求項１記載の回転電機の固定子製造方法において、絶縁被覆をコイル挿入方向に対して抵抗が小さくなる方向に螺旋状に巻回したことを特徴とする回転電機の固定子製造方法。
【請求項４】
前記請求項１記載の回転電機の固定子製造方法において、スロット絶縁のコイル接触面側に摺動性のよい絶縁物を配したことを特徴とする回転電機の固定子製造方法。
【発明の詳細な説明】
【０００１】
【発明の属する技術分野】
本発明はリッツ線を採用する回転電機の固定子製造方法に関する。
【０００２】
【従来の技術】
全閉スロットが設けられた固定子に平角状のリッツ線を納めた従来の回転電機は特開平１１−２１５７４８号公報が知られている。この公報による固定子製造方法を図６〜図８を参照して説明する。
【０００３】
【特許文献】
特開平１１−２１５７４８号公報
【０００４】
図６は平角リッツ線全体の斜視図、図７は図６の平角リッツ線Ａ部分を拡大して示す詳細図、図８は説明を簡略とするため一例として２ポール、２相巻、２倍のスター結線、接続パラ数２の場合の平角リッツ線を鉄心に挿入した状態を示す斜視図である。
【０００５】
図６ないし図８において、固定子鉄心１には図示しない回転子か配置される中空の孔１ａが設けられ、その孔１ａの中心に向って全閉スロット２が設けられている。全閉スロット２は１２個形成されており、この全閉スロット２の各々にはエナメル素線３を複数本拠り合わせた後断面を平角状に成形し、絶縁紙４を巻いた後Ｕ字状に成形した平角リッツ線５が挿入されている。図では平角リッツ線５は合計１２コイル必要となる。平角リッツ線を固定子鉄心１の全閉スロット２に挿入後、開放側の平角リッツ線５の先端をほぐし、素線のエナメル被膜を除去し、圧着または半田等により接続する。図の従来例では合計２４箇所のエナメル被覆剥きと接続箇所ができる。
【０００６】
【発明が解決しようとする課題】
上記、特開平１１−２１５７４８号公報のような従来の回転電機の固定子製造方法においては、コイル数×２倍の箇所のエナメル被覆剥きと接続が必要となるため、コイル納めの作業時間が長くなり、作業効率が劣るという問題があった。
【０００７】
本発明は上記問題を解決するためになされたもので、その課題は、１極１相分のコイルを連続して巻回し、エナメル被覆剥きと接続箇所を削減することでコイル納め作業時間を短縮して、作業効率を向上できる回転電機の固定子製造方法を提供することにある。
【０００８】
【課題を解決するための手段】
上記課題を達成するために、請求項１記載の発明は、全閉スロットが設けられた固定子のコイルに、平角状に成形し絶縁被覆を施したリッツ線を採用する回転電機の固定子製造方法において、１極１相分のコイルを連続して巻回し、スター接続を形成することを特徴とする。
請求項１によると、１極１相分のコイルを連続して巻回し、スター接続とすることで、エナメル被覆剥きと接続箇所が削減できるので、コイル納め作業時間が短縮可能となる。
【０００９】
請求項２記載の発明は、前記請求項１記載の回転電機の固定子製造方法において、スター接続の代りにデルタ接続を形成することを特徴とする。
請求項２によると、１極１相分のコイルを連続して巻回し、デルタ接続とすることで、エナメル被覆剥きと接続箇所が削減できるので、コイル納め作業時間が短縮可能となる。
【００１０】
請求項３記載の発明は、前記請求項１記載の回転電機の固定子製造方法において、絶縁被覆をコイル挿入方向に対して抵抗が小さくなる方向に螺旋状に巻回したことを特徴とする。
請求項３によると、平角リッツ線の挿入時に絶縁紙または絶縁テープを傷つけることなくスムーズに全閉スロットに納めることができるので、コイル納め作業時間の短縮と品質向上が可能となる。
【００１１】
請求項４記載の発明は、前記請求項１記載の回転電機の固定子製造方法において、スロット絶縁のコイル接触面側に摺動性のよい絶縁物を配したことを特徴とする。
請求項４によると、平角リッツ線の挿入時に絶縁紙または絶縁テープを傷つけることなくスムーズに全閉スロットに納めることができるので、コイル納め作業時間の短縮と品質向上が可能となる。
【００１２】
【発明の実施の形態】
以下、本発明の実施形態を図を参照して説明する。
図１は本発明の第１実施形態の回転電機の三相結線図、図２は図１の回転電機の固定子鉄心の全閉スロットに挿入される三相コイルの配置図、図３は図１の回転電機の固定子鉄心の全閉スロットに平角リッツ線を挿入した状態を示す斜視図である。
【００１３】
図に示すように、本実施形態は２ポール、２相巻、２倍のスター結線、接続パラ数２の場合であり、図３は接続時の１極１相分のコイルを納めた図である。従来例と同一の構成部分には同一符号を付して説明する。
【００１４】
本実施形態において、固定子鉄心１には図示しない回転子か配置される中心孔１ａが形成されており、この固定子鉄心１の内側には中心孔１ａの中心に向って全閉スロット２が１２個設けられている。エナメル素線３を複数本拠り合わせた後断面を平角状に成形したのち絶縁紙４を巻いた平角リッツ線５が全閉スロット２内に挿入される。この時、平角リッツ線５の長さは１極１相分の長さに切断しておき、図１及び図２の結線図に示したように、所定の全閉スロット２に固定子鉄心１を縫うように平角リッツ線５を挿入する。Ｕ，Ｖ，Ｗは三相巻線を構成するＵ相、Ｖ相、Ｗ相を表す。
【００１５】
上記したように平角リッツ線５を挿入することにより、エナメル被覆剥きと接続箇所が従来の２４箇所から１２箇所へと半減するので、コイル納め作業時間が短縮可能となる。また、本実施形態以外の接続においてもエナメル被覆剥きと接続箇所が削減可能であり、接続パラ数が多い場合は作業時間短縮効果もさらに大きくなる。
【００１６】
本発明の第２実施形態は上記第１実施形態のスター結線の代りにデルタ結線の場合に適用したものであり、第１実施形態と同様、エナメル被覆剥きと接続箇所が削減できるので、コイル納め作業時間が短縮可能となる。
【００１７】
図４は本発明の第３実施形態の平角リッツ線端部の斜視図である。
図において、本実施形態では、エナメル素線３を平角状に成形した後に巻く絶縁紙としてテープ状絶縁紙４を用いたものである。テープ状絶縁紙４は螺旋状にオーバーラップ部を設けながら巻回していくが、図のようにオーバーラップ部の上側にくるテープ状絶縁紙４を平角リッツ線５の挿入時にめくり上がらない方向に巻いていく。そして、平角リッツ線先端面は止めテープ６でほどけないように固定する。
【００１８】
本実施形態は、上記のようにテープ状絶縁紙４を平角状に形成したエナメル素線３に巻くことで、平角リッツ線の挿入時にテープ状絶縁紙を傷つけることなくスムーズに固定子の全閉スロットに納めることができ、コイル納め作業時間の短縮と品質向上が可能となる。
【００１９】
図５は本発明の第４実施形態のスロット部の詳細図である。
図において、本実施形態では、スロット絶縁に絶縁紙４と平角リッツ線５の間に摺動性のよい絶縁物７、例えばカプトンを挿入した後、スロットクサビ８を打ち込んで平角リッツ線を全閉スロットに固定する。また、作業性をよくするためカプトンの代りに絶縁紙４に摺動性のよい絶縁物７を貼り付けても本実施形態と同様の効果がある。
【００２０】
本実施形態は上記のように構成しているので、平角リッツ線の挿入時に絶縁紙を傷つけることなくスムーズに全閉スロットに納めることかできるので、コイル納め作業時間の短縮と品質向上が可能となる。
【００２１】
【発明の効果】
以上説明したように本発明によれば、全閉スロットが設けられた固定子のコイルに、平角状に成形し絶縁被覆を施したリッツ線を採用する高周波回転電機において、１極１相分のコイルを連続して巻回することで、エナメル被覆剥きと接続箇所を削減可能となり、コイル納め作業時間と品質向上が短縮可能となる。
【図面の簡単な説明】
【図１】本発明の第１実施形態の回転電機の三相コイルの結線図。
【図２】図１の回転電機の固定子鉄心の全閉スロットに挿入される三相コイルの配置図。
【図３】図１の回転電機の固定子鉄心の全閉スロットに平角リッツ線を挿入した状態を示す斜視図。
【図４】本発明の第３実施形態の平角リッツ線端部の斜視図。
【図５】本発明の第４実施形態のスロット部の詳細図。
【図６】従来の平角リッツ線全体の斜視図。
【図７】図６の平角リッツ線のＡ部分を拡大して示す詳細図。
【図８】従来の平角リッツ線を鉄心に挿入した状態を示す斜視図。
【符号の説明】
１…固定子鉄心、１ａ…中心孔、２…全閉スロット、３…エナメル素線、４…絶縁紙、５…平角リッツ線、６…止めテープ、７…摺動性のよい絶縁物、８…スロットクサビ。
【図１】
2004274901.tif 000003
【図２】
2004274901.tif 000004
【図３】
2004274901.tif 000005
【図４】
2004274901.tif 000006
【図５】
2004274901.tif 000007
【図６】
2004274901.tif 000008
【図７】
2004274901.tif 000009
【図８】
2004274901.tif 000010